(57)【要約】【課題】ケースを形成する複数のケース部材が強固に連結されるとともに、ケースの内部において複数の電池のそれぞれが強固に設置され、軽量化が実現される電池モジュールを提供すること。【解決手段】実施形態の電池モジュールは、第１乃至第４の電池、及び、これらの電池を収納するケースを備える。ケースでは、第１の仕切り壁が第１の方向について第１の電池と第２の電池との間及び第３の電池と第４の電池との間を仕切り、第２の仕切り部材が第１の方向に交差する第２の方向について第１の電池と第３の電池との間及び第２の電池と第４の電池との間を仕切る。締結部材は、前述の２つの仕切り壁の交差部分で、複数のケース部材を締結する。ケースは、第１の仕切り壁及び第２の仕切り壁の少なくとも一方の表面において突出するリブを備える。【選択図】図６
2020191156.tif 000002
【特許請求の範囲】
【請求項１】
４つ以上の電池と、
前記４つ以上の電池を内部に収納するケースと、
を具備し、
前記４つ以上の電池は、第１の電池、第１の方向について前記第１の電池に対して隣り合う第２の電池、前記第１の方向に交差する第２の方向について前記第１の電池に対して隣り合う第３の電池、及び、前記第１の方向について前記第３の電池に対して隣り合い、かつ、前記第２の方向について前記第２の電池に対して隣り合う第４の電池を備え、
前記ケースは、前記第１の方向について前記第１の電池と前記第２の電池との間及び前記第３の電池と前記第４の電池との間を仕切る第１の仕切り壁と、前記第２の方向について前記第１の電池と前記第３の電池との間及び前記第２の電池と前記第４の電池との間を仕切る第２の仕切り壁と、を備え、
前記ケースは、第１のケース部材と、前記第１の方向及び前記第２の方向の両方に交差する第３の方向の一方側から前記第１のケース部材に連結される第２のケース部材と、前記第１の仕切り壁と前記第２の仕切り壁との交差部分において前記第１のケース部材を前記第２のケース部材に締結する締結部材と、を備え、
前記ケースは、前記第１の仕切り壁の表面において前記第１の方向へ突出する第１のリブ、及び、前記第２の仕切り壁の表面において前記第２の方向へ突出する第２のリブの少なくとも一方を備える、
電池モジュール。
【請求項２】
前記第１のリブが４つ以上設けられ、前記第１の仕切り壁から前記第１の電池乃至前記第４の電池のそれぞれに向かって前記第１のリブが１つ以上ずつ突出するか、及び、
前記第２のリブが４つ以上設けられ、前記第２の仕切り壁から前記第１の電池乃至前記第４の電池のそれぞれに向かって前記第２のリブが１つ以上ずつ突出するか、
の少なくとも一方である、請求項１の電池モジュール。
【請求項３】
前記４つ以上の電池のそれぞれは、電極群と、前記電極群が内部空洞に収納される外装容器と、を備え、
前記４つ以上の電池のそれぞれの前記外装容器では、縦方向についての寸法が、前記縦方向に交差する横方向についての寸法、及び、前記縦方向及び前記横方向の両方に交差する高さ方向についての寸法のそれぞれに比べて、小さく、
前記４つ以上の電池のそれぞれは、前記縦方向が前記第１の方向に沿い、かつ、前記横方向が前記第２の方向に沿う状態で、配置される、
請求項１又は２の電池モジュール。
【請求項４】
前記４つ以上の電池のそれぞれの前記外装容器は、前記内部空洞に対して高さ方向の一方側に位置する底壁と、前記内部空洞の外周側を囲む周壁と、前記高さ方向について前記底壁とは反対側から前記周壁に取付けられる蓋部材と、を備え、
前記４つ以上の電池のそれぞれは、前記蓋部材の外表面に取付けられる電極端子を備え、
前記第２のケース部材は、ケース頂壁を備え、
前記４つ以上の電池のそれぞれの前記蓋部材の前記外表面は、前記第３の方向について前記ケース頂壁が位置する側を向き、
前記ケースは、前記第３の方向について前記ケース頂壁が位置する側へ前記４つ以上の電池のそれぞれを押圧するクラッシュリブを備え、
前記４つ以上の電池のそれぞれでは、前記クラッシュリブからの押圧によって、前記蓋部材の前記外表面が前記ケース頂壁の内表面に当接し、前記電極端子が前記ケース頂壁の前記内表面に対して前記第３の方向について外側へ突出する、
請求項３の電池モジュール。
【請求項５】
前記第１の電池及び前記第３の電池は、前記第２の方向に沿って複数の電池が配列される第１の電池列を形成し、
前記第２の電池及び前記第４の電池は、前記第２の方向に沿って複数の電池が配列される第２の電池列を形成し、
前記第１の電池列は、前記第１の方向について前記第２の電池列に対して隣り合う、
請求項１乃至４のいずれか１項の電池モジュール。
【請求項６】
前記４つ以上の電池は、前記第１の電池列及び前記第２の電池列を含む電池列を第１の数だけ形成し、
前記第１の電池列及び前記第２の電池列を含む前記電池列のそれぞれでは、第１の数より大きい第２の数の電池が、前記第２の方向に沿って配列される、
請求項５の電池モジュール。
【請求項７】
前記ケースでは、前記第２の方向についての寸法が、前記第１の方向についての寸法及び前記第３の方向についての寸法のそれぞれ比べて大きい、請求項１乃至６のいずれか１項の電池モジュール。
【請求項８】
前記第１のケース部材は、ケース底壁と、前記第１の仕切り壁と前記第２の仕切り壁との前記交差部分において前記第３の方向について前記第２のケース部材が位置する側へ向かって前記ケース底壁から凹む凹部と、を備え、
前記第２のケース部材には、前記第１の仕切り壁と前記第２の仕切り壁との前記交差部分に、前記凹部と連通する穴が、前記第３の方向に沿って形成され、
前記締結部材は、前記凹部の底面に前記ケース底壁が位置する側から当接する頭部と、前記第２のケース部材の前記穴に挿入され、前記穴において前記第２のケース部材と係合する係合部と、を備える、
請求項１乃至７のいずれか１項の電池モジュール。
【請求項９】
請求項１乃至８のいずれか１項の電池モジュールを具備する、電池パック。
【請求項１０】
請求項９の電池パックを具備する、車両。
【発明の詳細な説明】
【技術分野】
【０００１】
本発明の実施形態は、電池モジュール、電池パック及び車両に関する。
【背景技術】
【０００２】
一般的に、電池モジュールでは、複数の電池が、ケースの内部に収納される。そして、ケースは、複数のケース部材を連結することにより、形成される。このような電池モジュールでは、ケースを形成する複数のケース部材が強固に連結されるとともに、ケースの内部において複数の電池のそれぞれが強固に設置されることが、求められている。また、ケースが軽量化され、電池モジュール全体が軽量化されることが、求められている。
【先行技術文献】
【特許文献】
【０００３】
【特許文献１】特開２０１９−２９１７５号公報
【発明の概要】
【発明が解決しようとする課題】
【０００４】
本発明が解決しようとする課題は、ケースを形成する複数のケース部材が強固に連結されるとともに、ケースの内部において複数の電池のそれぞれが強固に設置され、軽量化が実現される電池モジュール、及び、その電池モジュールを備える電池パック及び車両を提供することにある。
【課題を解決するための手段】
【０００５】
実施形態によれば、電池モジュールは、４つ以上の電池と、４つ以上の電池を内部に収納するケースと、を備える。４つ以上の電池は、第１の電池、第１の方向について第１の電池に対して隣り合う第２の電池、第１の方向に交差する第２の方向について第１の電池に対して隣り合う第３の電池、及び、第１の方向について第３の電池に対して隣り合い、かつ、第２の方向について第２の電池に対して隣り合う第４の電池を備える。ケースは、第１の方向について第１の電池と第２の電池との間及び第３の電池と第４の電池との間を仕切る第１の仕切り壁と、第２の方向について第１の電池と第３の電池との間及び第２の電池と第４の電池との間を仕切る第２の仕切り壁と、を備える。ケースは、第１のケース部材と、第１の方向及び第２の方向の両方に交差する第３の方向の一方側から第１のケース部材に連結される第２のケース部材と、第１の仕切り壁と第２の仕切り壁との交差部分において第１のケース部材を第２のケース部材に締結する締結部材と、を備える。ケースは、第１の仕切り壁の表面において第１の方向へ突出する第１のリブ、及び、第２の仕切り壁の表面において第２の方向へ突出する第２のリブの少なくとも一方を備える。
【０００６】
また、実施形態によれば、前述の電池モジュールを備える電池パックが提供される。
【０００７】
また、実施形態によれば、前述の電池パックを備える車両が提供される。
【図面の簡単な説明】
【０００８】
【図１】図１は、実施形態に係る電池モジュールに用いられる電池の一例を、部材ごとに分解して概略的に示す斜視図である。
【図２】図２は、図１の電池を概略的に示す斜視図である。
【図３】図３は、図１の電池の電極群の構成の一例を示す概略図である。
【図４】図４は、第１の実施形態に係る電池モジュールの一例を、部材ごとに分解して概略的に示す斜視図である。
【図５】図５は、図４の電池モジュールを、第１の方向の一方側から仕切り壁（第１の仕切り壁）を視た状態で示す概略図である。
【図６】図６は、図４の電池モジュールを、第３の方向についてケース頂壁が位置する側から視た状態を示し、第２のケース部材を省略して示す概略図である。
【図７】図７は、図４の電池モジュールを、第３の方向についてケース底壁が位置する側から視た状態を示す概略図である。
【図８】図８は、図６の範囲Ａ１を拡大して示す概略図である。
【図９】図９は、図７のＡ２−Ａ２断面を概略的に示す断面図である。
【図１０】図１０は、図４の電池モジュールの第１のケース部材において、一部の範囲を概略的に示す斜視図である。
【図１１】図１１は、図１０の範囲Ａ３を拡大して示す概略図である。
【図１２】図１２は、図４の電池モジュールの第１のケース部材において、図１０とは別の一部の範囲を概略的に示す斜視図である。
【図１３】図１３は、図１２の範囲Ａ４を示す概略図である。
【図１４】図１４は、図４の電池モジュールの第２のケース部材において、一部の範囲を概略的に示す斜視図である。
【図１５】図１５は、図４の電池モジュールにおいて、８つの空間のある１つを示す概略図である。
【図１６】図１６は、実施形態に係る電池モジュールが用いられる電池パックの一例を示す概略図である。
【図１７】図１７は、図１６の一例等の電池パックが用いられる車両の一例を示す概略図である。
【発明を実施するための形態】
【０００９】
以下、について図面を参照して説明する。実施形態に係る電池モジュールは、複数の電池を備える。
【００１０】
［電池］  
まず、実施形態に係る電池モジュールに用いられる電池単体について説明する。図１及び図２は電池モジュールに用いられる電池１の単体の一例を示す。電池１は、例えば二次電池である。図１は、電池１を部材ごと分解して示す。
【００１１】
図１及び図２に示すように、電池１は、外装容器（外装部）３を備える。外装容器３は、アルミニウム、アルミニウム合金、鉄又はステンレス等の金属から形成される。また、外装容器３の内部には、内部空洞１３が形成される。電池１及び外装容器３では、縦方向（矢印Ｘ１及び矢印Ｘ２で示す方向）、縦方向に対して交差する（垂直又は略垂直な）横方向（矢印Ｙ１及び矢印Ｙ２で示す方向）、及び、縦方向及び横方向の両方に対して交差する（垂直又は略垂直な）高さ方向（矢印Ｚ１及び矢印Ｚ２で示す方向）が、規定される。
【００１２】
外装容器３は、容器本体５及び蓋部材６を備える。図１等の一例では、容器本体５は、底壁１１及び周壁１２を有し、一面が開口した略直方体状に形成される。底壁１１は、内部空洞１３に対して高さ方向の一方側（矢印Ｚ２側）に位置する。また、周壁１２は、外装容器３の周方向に沿って延設され、内部空洞１３の外周側は、周壁１２によって囲まれる。また、内部空洞１３は、高さ方向について、底壁１１が位置する側とは反対側（矢印Ｚ１側）に向かって開口する。なお、電池１及び外装容器３のそれぞれでは、周壁１２に対して内部空洞（内部空間）１３が位置する側を内周側とし、内周側とは反対側を外周側とする。
【００１３】
周壁１２は、二対の側壁１５，１６を備える。一対の側壁（第１の側壁）１５は、縦方向について内部空洞１３を挟んで対向する。そして、一対の側壁（第２の側壁）１６は、横方向について内部空洞１３を挟んで対向する。側壁１５のそれぞれは、側壁１６の間に、横方向に沿って連続して延設される。また、側壁１６のそれぞれは、側壁１５の間に、縦方向に沿って連続して延設される。
【００１４】
蓋部材６は、内部空洞１３の開口において、容器本体５に取付けられる。そして、蓋部材６は、内部空洞１３の開口を塞ぎ、高さ方向について底壁１１とは反対側から、周壁１２に取付けられる。このため、蓋部材６は、高さ方向について内部空洞１３を挟んで、底壁１１と対向する。図１等の一例では、蓋部材６の厚さ方向が電池１の高さ方向に対して一致又は略一致する状態で、蓋部材６が設けられる。
【００１５】
図１等の一例では、一対の側壁１５の間の縦方向についての寸法は、底壁１１と蓋部材６との間の高さ方向についての寸法、及び、一対の側壁１６の間の横方向について寸法のそれぞれに比べて、遥かに小さい。このため、内部空洞１３では、縦方向についての寸法が、横方向についての寸法、及び、高さ方向についての寸法のそれぞれに比べて、遥かに小さくなる。また、外装容器３の肉厚は、外装容器３の全体に渡って均一又は略均一に形成される。したがって、電池１及び外装容器３のそれぞれでは、縦方向についての寸法が、横方向についての寸法、及び、高さ方向についての寸法のそれぞれに比べて、遥かに小さくなる。
【００１６】
外装容器３の内部空洞１３には、電極群１０が収納される。図３は、電極群１０の構成を説明する図である。図３に示すように、電極群１０は、例えば、扁平形状に形成され、正極２１、負極２２及びセパレータ２３，２５を備える。正極２１は、正極集電体としての正極集電箔２１Ａと、正極集電箔２１Ａの表面に担持される正極活物質含有層２１Ｂと、を備える。正極集電箔２１Ａは、アルミニウム箔又はアルミニウム合金箔等であり、厚さが１０μｍ〜２０μｍ程度である。正極集電箔２１Ａには、正極活物質、結着剤及び導電剤を含むスラリーが塗布される。正極活物質としては、これらに限定されるものではないが、リチウムを吸蔵放出できる酸化物、硫化物及びポリマー等が挙げられる。また、高い正極電位を得られる観点から、正極活物質は、リチウムマンガン複合酸化物、リチウムニッケル複合酸化物、リチウムコバルト複合酸化物及びリチウム燐酸鉄等が、用いられることが好ましい。
【００１７】
負極２２は、負極集電体としての負極集電箔２２Ａと、負極集電箔２２Ａの表面に担持される負極活物質含有層２２Ｂと、を備える。負極集電箔２２Ａは、アルミニウム箔、アルミニウム合金箔又は銅箔等であり、厚さが１０μｍ〜２０μｍ程度である。負極集電箔２２Ａには、負極活物質、結着剤及び導電剤を含むスラリーが塗布される。負極活物質としては、特に限定されるものではないが、リチウムイオンを吸蔵放出できる金属酸化物、金属硫化物、金属窒化物及び炭素材料等が挙げられる。負極活物質としては、リチウムイオンの吸蔵放出電位が金属リチウム電位に対して０．４Ｖ以上となる物質、すなわち、リチウムイオンの吸蔵放出電位が０．４Ｖ（ｖｓ．Ｌｉ＋／Ｌｉ）以上になる物質であることが好ましい。このようなリチウムイオン吸蔵放出電位を有する負極活物質を用いることにより、アルミニウム又はアルミニウム合金とリチウムとの合金反応が抑えられるため、負極集電箔２２Ａ及び負極２２に関連する構成部材に、アルミニウム及びアルミニウム合金を使用可能になる。リチウムイオンの吸蔵放出電位が０．４Ｖ（ｖｓ．Ｌｉ＋／Ｌｉ）以上になる負極活物質としては、例えば、チタン酸化物、チタン酸リチウム等のリチウムチタン複合酸化物、タングステン酸化物、アモルファススズ酸化物、ニオブ・チタン複合酸化物、スズ珪素酸化物、及び、酸化珪素等が挙げられ、リチウムチタン複合酸化物を負極活物質として用いることが、特に好ましい。なお、リチウムイオンを吸蔵放出する炭素材料を負極活物質として用いる場合は、負極集電箔２２Ａは銅箔を用いるとよい。負極活物質として用いられる炭素材料は、リチウムイオンの吸蔵放出電位が０Ｖ（ｖｓ．Ｌｉ＋／Ｌｉ）程度になる。
【００１８】
正極集電箔２１Ａ及び負極集電箔２２Ａに用いられるアルミニウム合金は、Ｍｇ、Ｔｉ、Ｚｎ、Ｍｎ、Ｆｅ、Ｃｕ及びＳｉから選択される１種または２種以上の元素を含むことが望ましい。アルミニウム及びアルミニウム合金の純度は、９８重量％以上にすることができ、９９．９９重量％以上が好ましい。また、純度１００％の純アルミニウムを、正極集電体及び／又は負極集電体の材料として用いることが可能である。アルミニウム及びアルミニウム合金における、ニッケル、クロムなどの遷移金属の含有量は１００重量ｐｐｍ以下（０重量ｐｐｍを含む）にすることが好ましい。
【００１９】
正極集電箔２１Ａでは、一方の長辺縁２１Ｃ及びその近傍部位によって、正極集電タブ２１Ｄが形成される。図２の一例では、正極集電タブ２１Ｄは、長辺縁２１Ｃの全長に渡って形成される。正極集電タブ２１Ｄでは、正極集電箔２１Ａの表面に正極活物質含有層２１Ｂが担持されない。したがって、正極集電箔２１Ａは、正極活物質含有層２１Ｂが未担持の部分として正極集電タブ２１Ｄを備える。また、負極集電箔２２Ａでは、一方の長辺縁２２Ｃ及びその近傍部位によって、負極集電タブ２２Ｄが形成される。図２の一例では、負極集電タブ２２Ｄは、長辺縁２２Ｃの全長に渡って形成される。負極集電タブ２２Ｄでは、負極集電箔２２Ａの表面に負極活物質含有層２２Ｂが担持されない。したがって、負極集電箔２２Ａは、負極活物質含有層２２Ｂが未担持の部分として負極集電タブ２２Ｄを備える。
【００２０】
セパレータ２３，２５のそれぞれは、電気的に絶縁性を有する材料から形成され、正極２１と負極２２との間を電気的に絶縁する。セパレータ２３，２５のそれぞれは、正極２１及び負極２２とは別体のシート等であってもよく、正極２１及び負極２２の一方と一体に形成されてもよい。また、セパレータ２３，２５は、有機材料から形成されてもよく、無機材料から形成されてもよく、有機材料と無機材料との混合物から形成されてもよい。セパレータ２３，２５を形成する有機材料としては、エンプラ及びスーパーエンプラが挙げられる。そして、エンプラとしては、ポリアミド、ポリアセタール、ポリブチレンテレフタレート、ポリエチレンテレフタレート、シンジオタクチック・ポリスチレン、ポリカーボネート、ポリアミドイミド、ポリビニルアルコール、ポリフッ化ビニリデン及び変性ポリフェニレンエーテル等が挙げられる。また、スーパーエンプラとしては、ポリフェニレンサルファイド、ポリエーテルエーテルケトン、液晶ポリマー、ポリビニリデンフロライド、ポリテトラフルオロエチレン（ＰＴＦＥ）、ポリエーテルニトリル、ポリサルホン、ポリアクリレート、ポリエーテルイミド及び熱可塑性ポリイミド等が挙げられる。また、セパレータ２３，２５を形成する無機材料としては、酸化物（例えば、酸化アルミニウム、二酸化ケイ素、酸化マグネシウム、リン酸化物、酸化カルシウム、酸化鉄、酸化チタン）、窒化物（例えば、窒化ホウ素、窒化アルミニウム、窒化珪素、窒化バリウム）等が挙げられる。
【００２１】
電極群１０では、正極活物質含有層２１Ｂと負極活物質含有層２２Ｂとの間でセパレータ２３，２５のそれぞれが挟まれた状態で、正極２１、負極２２及びセパレータ２３，２５が捲回軸Ｂを中心として扁平形状に捲回される。正極２１、セパレータ２３、負極２２及びセパレータ２５は、例えば、この順に重ねられた状態で、捲回される。また、電極群１０では、正極集電箔２１Ａの正極集電タブ２１Ｄが、負極２２及びセパレータ２３，２５に対して、捲回軸Ｂに沿う方向の一方側へ突出する。そして、負極集電箔２２Ａの負極集電タブ２２Ｄが、正極２１及びセパレータ２３，２５に対して、捲回軸Ｂに沿う方向について正極集電タブ２１Ｄが突出する側とは反対側に、突出する。
【００２２】
電極群１０は、捲回軸Ｂが電池１の横方向に対して平行又は略平行になる状態で配置される。このため、外装容器３の内部空洞１３では、正極集電タブ２１Ｄは、横方向の一方側へ負極２２及びセパレータ２３，２５に対して突出する。そして、負極集電タブ２２Ｄは、正極２１及びセパレータ２３，２５に対して、横方向について正極集電タブ２１Ｄが突出する側とは反対側に、突出する。
【００２３】
また、電極群１０は、正極、負極及びセパレータが捲回される捲回構造を有する必要はない。ある一例では、電極群１０は、複数の正極及び複数の負極が交互に積層されるスタック構造を有し、正極と負極との間にはセパレータが設けられる。この場合も、電極群１０では、正極集電タブが、電池１（外装容器３）の横方向について一方側へ、負極に対して突出する。そして、電極群１０では、負極集電タブが、電池１の横方向について、正極集電タブが突出する側とは反対側へ、正極に対して突出する。
【００２４】
ある一例では、内部空洞１３において、電極群１０に、電解液（図示しない）が含浸される。電解液としては、非水電解液が用いられ、例えば、電解質を有機溶媒に溶解することにより調製される非水電解液が用いられる。この場合、有機溶媒に溶解させる電解質として、過塩素酸リチウム（ＬｉＣｌＯ4）、六フッ化リン酸リチウム（ＬｉＰＦ6）、四フッ化ホウ酸リチウム（ＬｉＢＦ4）、六フッ化砒素リチウム（ＬｉＡｓＦ6）、トリフルオロメタンスルホン酸リチウム（ＬｉＣＦ3ＳＯ3）及びビストリフルオロメチルスルホニルイミドリチウム［ＬｉＮ（ＣＦ3ＳＯ2）2］等のリチウム塩、及び、これらの混合物が挙げられる。また、有機溶媒として、プロピレンカーボネート（ＰＣ）、エチレンカーボネート（ＥＣ）及びビニレンカーボネート等の環状カーボネート；ジエチルカーボネート（ＤＥＣ）、ジメチルカーボネート（ＤＭＣ）及びメチルエチルカーボネート（ＭＥＣ）等の鎖状カーボネート；テトラヒドロフラン（ＴＨＦ）、２メチルテトラヒドロフラン（２ＭｅＴＨＦ）、及びジオキソラン（ＤＯＸ）等の環状エーテル；ジメトキシエタン（ＤＭＥ）及びジエトキシエタン（ＤＥＥ）等の鎖状エーテル；γ−ブチロラクトン（ＧＢＬ）、アセトニトリル（ＡＮ）及びスルホラン（ＳＬ）等が挙げられる。これらの有機溶媒は、単独で、又は、混合溶媒として用いられる。
【００２５】
また、ある一例では、非水電解質として、非水電解液と高分子材料とを複合化したゲル状非水電解質が、電解液の代わりに用いられる。この場合、前述した電解質及び有機溶媒が用いられる。また、高分子材料として、ポリフッ化ビニリデン（ＰＶｄＦ）、ポリアクリロニトリル（ＰＡＮ）及びポリエチレンオキサイド（ＰＥＯ）等が挙げられる。
【００２６】
また、ある一例では、電解液の代わりに、高分子固体電解質及び無機固体電解質等の固体電解質が非水電解質として設けられる。この場合、電極群１０に、セパレータ２３，２５が設けられなくてもよい。そして、電極群１０では、セパレータ２３，２５の代わりに、固体電解質が正極２１と負極２２との間で挟まれる。このため、この一例では、固体電解質によって、正極２１と負極２２との間が電気的に絶縁される。また、ある一例では、非水電解質の代わりに水系溶媒を含む水系電解質が、電解質として用いられてもよい。
【００２７】
電池１では、蓋部材６の外表面、すなわち、蓋部材６において底壁１１とは反対側を向く面に、一対の電極端子２７が取付けられる。電極端子２７の一方が電池１の正極端子となり、電極端子２７の他方が電池１の負極端子となる。電極端子２７のそれぞれは、外部に露出する状態で、蓋部材６の外表面に取付けられる。電池１では、電極端子２７は、横方向について互いに対して離れて配置される。そして、横方向についての電池１の中央位置は、電極端子２７の間に位置する。電極端子２７のそれぞれは、導電材料から形成され、例えば、アルミニウム、銅及びステンレス等のいずれかから形成される。
【００２８】
また、蓋部材６の外表面には、電気的に絶縁材料から形成される一対の絶縁部材２８が設けられる。絶縁部材２８のそれぞれは、蓋部材６の外表面と電極端子２７の対応する一方との間に介在し、電極端子２７の対応する一方を外装容器３に対して電気的に絶縁する。また、絶縁部材２８は、横方向について、電池１の中央位置を挟んで互いに対して反対側に、配置される。
【００２９】
電極群１０の正極集電タブ２１Ｄは、超音波溶接等の溶接によって束ねられる。そして、正極集電タブ２１Ｄの束は、正極バックアップリード３１Ａ及び正極リード３２Ａ等を含む１つ以上の正極リードを介して、電極端子２７の対応する一方（正極端子）に電気的に接続される。この際、正極集電タブ２１Ｄと正極リードとの間の接続、正極リード同士の接続、及び、正極リードと正極端子との間の接続は、超音波溶接等の溶接によって、行われる。ここで、正極リードは、導電性を有する金属から形成される。また、正極集電タブ２１Ｄ及び正極リードは、絶縁部材（図示しない）等によって、外装容器３に対して電気的に絶縁される。
【００３０】
同様に、電極群１０の負極集電タブ２２Ｄは、超音波溶接等の溶接によって束ねられる。そして、負極集電タブ２２Ｄの束は、負極バックアップリード３１Ｂ及び負極リード３２Ｂ等を含む１つ以上の負極リードを介して、電極端子２７の対応する一方（負極端子）に電気的に接続される。この際、負極集電タブと負極リードとの間の接続、負極リード同士の接続、及び、負極リードと負極端子との間の接続は、超音波溶接等の溶接によって、行われる。ここで、負極リードは、導電性を有する金属から形成される。また、負極集電タブ及び負極リードは、絶縁部材（図示しない）等によって、外装容器３に対して電気的に絶縁される。
【００３１】
また、ある一例では、蓋部材６に、ガス開放弁及び注液口（いずれも図１乃至図３では図示しない）が、形成されてもよい。蓋部材６に注液口が形成される場合、蓋部材６の外表面に、注液口を塞ぐ封止板（図１乃至図３では図示しない）が、溶接される。
【００３２】
また、前述の一例等では、外装容器３の内部空洞１３に１つの電極群１０が収納されるが、これに限るものではない。ある一例では、外装容器３の内部空洞１３に複数の電極群が収納されてもよい。
【００３３】
［電池モジュール］  
次に、前述の電池１等の電池を複数備える電池モジュールについて説明する。
【００３４】
（第１の実施形態）  
まず、第１の実施形態に係る電池モジュールについて説明する。図４乃至図７は、第１の実施形態の電池モジュール４０の一例を示す。図４乃至図７に示すように、電池モジュール４０では、第１の方向（矢印Ｘ３及び矢印Ｘ４で示す方向）、第１の方向に対して交差する（垂直又は略垂直な）第２の方向（矢印Ｙ３及び矢印Ｙ４で示す方向）、及び、第１の方向及び第２の方向の両方に対して交差する（垂直又は略垂直な）第３の方向（矢印Ｚ３及び矢印Ｚ４で示す方向）が、規定される。ここで、図５は、第１の方向の一方側から視た状態を示し、図６及び図７は、第３の方向の一方側から視た状態を示す。
【００３５】
電池モジュール４０では、前述の電池１が４つ以上設けられ、図４乃至図７の一例では、電池１が８つ設けられる。そして、電池モジュール４０では、２つ（第１の数）の電池列４１Ａ，４１Ｂが形成される。電池列４１Ａ，４１Ｂのそれぞれでは、４つ（第２の数）の電池１が第２の方向に沿って配列される。したがって、電池モジュール４０において形成される電池列（４１Ａ，４１Ｂ）の数を第１の数とし、電池列（４１Ａ，４１Ｂ）のそれぞれにおいて配列される電池１の数を第２の数とした場合、第２の数は、第１の数に比べて、大きい。また、電池列４１Ａ，４１Ｂは、第１の方向について互いに対して隣り合う。そして、電池列４１Ａ，４１Ｂは、第２の方向及び第３の方向について、互いに対してずれていない、又は、ほとんどずれていない。
【００３６】
電池列４１Ａ，４１Ｂのそれぞれでは、電池１のそれぞれは、横方向が配列方向（第２の方向）に沿う状態、すなわち、横方向が配列方向と一致又は略一致する状態で、配置される。そして、電池列４１Ａ，４１Ｂのそれぞれでは、電池１のそれぞれは、縦方向が第１の方向と一致又は略一致し、かつ、高さ方向が第３の方向と一致又は略一致する状態で、配置される。すなわち、電池列４１Ａ，４１Ｂのそれぞれでは、電池１のそれぞれは、縦方向が第１の方向に沿い、かつ、高さ方向が第３の方向に沿う状態で、配置される。また、電池列４１Ａ，４１Ｂのそれぞれでは、電池１は、第１の方向及び第３の方向について、互いに対してずれていない、又は、ほとんどずれていない。
【００３７】
電池モジュール４０は、ケース４２を備える。電池モジュール４０では、電池１のそれぞれが、ケース４２の内部の収納空洞４３に収納される。収納空洞４３では、前述のように複数（図４乃至図７の一例では８つ）の電池１が配置され、複数（図４乃至図７の一例では２つ）の電池列４１Ａ，４１Ｂが形成される。また、ケース４２は、第１のケース部材４５及び第２のケース部材４６を備える。第１のケース部材４５及び第２のケース部材４６のそれぞれは、樹脂等の電気的絶縁性を有する材料から形成される。また、第２のケース部材４６は、第３の方向の一方側（矢印Ｚ３側）から、第１のケース部材４５に連結される。
【００３８】
ケース部材４５，４６を含むケース４２は、ケース底壁５１、ケース頂壁５２及びケース周壁５３を有し、略直方体状に形成される。ケース底壁５１は、収納空洞４３（電池１のそれぞれの外装容器３）に対して第３の方向の一方側（矢印Ｚ４側）に位置する。そして、ケース頂壁５２は、第３の方向について、収納空洞４３（電池１のそれぞれの外装容器３）に対してケース底壁５１が位置する側とは反対側に位置する。このため、収納空洞４３は、第３の方向について、ケース底壁５１とケース頂壁５２との間に形成される。
【００３９】
電池１のそれぞれでは、底壁１１の外表面は、第３の方向について、ケース底壁５１が位置する側を向く。そして、電池１のそれぞれでは、蓋部材６の外表面は、第３の方向についてケース頂壁５２が位置する側を向く。したがって、電池１それぞれの蓋部材６の外表面は、第１のケース部材４５に対して第２のケース部材４６が位置する側を向く。また、ケース周壁５３は、ケース底壁５１とケース頂壁５２との間において、ケース４２（電池モジュール４０）の周方向に沿って延設される。収納空洞４３の外周側は、ケース周壁５３によって囲まれる。なお、電池モジュール４０及びケース４２のそれぞれでは、ケース周壁５３に対して収納空洞（内部空間）４３が位置する側を内周側とし、内周側とは反対側を外周側とする。
【００４０】
ケース４２では、第１のケース部材４５によってケース底壁５１が形成され、第２のケース部材４６によってケース頂壁５２が形成される。そして、第１のケース部材４５及び第２のケース部材４６の両方によって、ケース周壁５３が形成される。ケース周壁５３では、第３の方向について中央位置又はその近傍において、ケース部材４５，４６が互いに対して当接する。そして、ケース周壁５３では、ケース部材４５，４６の境界部分が、ケース４２の周方向に沿って、形成される。ケース周壁５３では、ケース４２の周方向ついて全周又は略全周に渡って、ケース部材４５，４６の境界部分が形成される。なお、図６は、第３の方向についてケース頂壁５２が位置する側から視た状態を示し、第２のケース部材４６を省略して示す。そして、図７は、第３の方向についてケース底壁５１が位置する側から視た状態を示す。
【００４１】
ケース周壁５３は、二対のケース側壁５５，５６を備える。一対のケース側壁（第１のケース側壁）５５は、第１の方向について収納空洞４３を挟んで対向する。そして、一対のケース側壁（第２のケース側壁）５６は、第２の方向について収納空洞４３を挟んで対向する。ケース側壁５５のそれぞれは、ケース側壁５６の間に、第２の方向に沿って連続して延設される。また、ケース側壁５６のそれぞれは、ケース側壁５５の間に、第１の方向に沿って連続して延設される。
【００４２】
図４乃至図７等の一例を含む本実施形態では、一対のケース側壁５５の間の第１の方向についての寸法は、一対のケース側壁５６の間の第２の方向について寸法、及び、ケース底壁５１とケース頂壁５２との間の第３の方向についての寸法のそれぞれに比べて、小さい。このため、収納空洞４３及びケース４２のそれぞれでは、第１の方向についての寸法が、第２の方向についての寸法、及び、第３の方向についての寸法のそれぞれに比べて、小さくなる。また、一対のケース側壁５６の間の第２の方向について寸法は、ケース底壁５１とケース頂壁５２との間の第３の方向についての寸法に比べて、大きい。このため、収納空洞４３及びケース４２のそれぞれでは、第２の方向についての寸法が、第３の方向についての寸法に比べて、大きくなる。
【００４３】
また、ケース４２は、仕切り壁（第１の仕切り壁）５７及び仕切り壁（第２の仕切り壁）５８を備える。図４乃至図７の一例では、仕切り壁５７が１つ設けられ、仕切り壁５８が３つ設けられる。仕切り壁５７，５８のそれぞれは、第１のケース部材４５及び第２のケース部材４６の両方によって、形成される。そして、仕切り壁５７，５８のそれぞれでは、第３の方向について、ケース底壁５１とケース頂壁５２との間に連続して延設される。また、仕切り壁５７，５８のそれぞれでは、第３の方向について中央位置又はその近傍において、ケース部材４５，４６が互いに対して当接する。なお、図５では、第１の方向の一方側から視た状態で仕切り壁５７が示される。
【００４４】
仕切り壁５７は、収納空洞４３において第２の方向に沿って延設され、ケース側壁５６の間に連続して延設される。そして、仕切り壁５７では、ケース部材４５，４６の境界部分が、第２の方向に沿って形成される。また、仕切り壁５７は、第１の方向についてケース側壁５５の間に形成され、第１の方向についてケース４２の中央位置又はその近傍に形成される。第１の方向について隣り合う電池列４１Ａ，４１Ｂの間は、仕切り壁５７によって仕切られる。
【００４５】
仕切り壁５８のそれぞれは、収納空洞４３において第１の方向に沿って延設され、ケース側壁５５の間に連続して延設される。そして、仕切り壁５８のそれぞれでは、ケース部材４５，４６の境界部分が、第１の方向に沿って形成される。また、仕切り壁５８のそれぞれは、第２の方向についてケース側壁５６の間に形成され、仕切り壁５８は、第２の方向について互いに対して離れて配置される。電池列４１Ａ，４１Ｂのそれぞれでは、第２の方向について隣り合う電池１の間は、仕切り壁５８の対応する１つによって仕切られる。
【００４６】
前述のように仕切り壁５７，５８が形成されるため、図４乃至図７の一例では、収納空洞４３に、８つの空間（部屋）６１が形成される。そして、８つの空間６１は、仕切り壁５７，５８によって、互いに対して隔離される。空間６１のそれぞれには、８つの電池１の対応する１つが配置される。なお、収納空洞４３では、空間６１は、互いに対して容積（広さ）が同一又は略同一になる。また、８つの空間６１は、互いに対して第１の方向についての寸法が同一又は略同一になり、互いに対して第２の方向についての寸法が同一又は略同一になる。そして、空間６１は、互いに対して第３の方向についての寸法が同一又は略同一になる。
【００４７】
図８は、図６の範囲Ａ１を拡大して示し、図９は、図７のＡ２−Ａ２断面を示す。図４乃至図９等に示すように、ケース４２では、締結部材であるネジ部材６３，６７によって第１のケース部材４５を第２のケース部材４６に締結することにより、ケース部材４５，４６が互いに対して連結される。図４乃至図９等の一例では、２つのネジ部材６３及び３つのネジ部材６７が設けられる。ネジ部材６３のそれぞれは、ケース側壁５６の対応する一方と仕切り壁５７との交差部分において、ケース部材４５，４６を互いに対して締結する。また、ネジ部材６７のそれぞれは、仕切り壁（第２の仕切り壁）５８の対応する１つと仕切り壁（第１の仕切り壁）５７との交差部分において、ケース部材４５，４６を互いに対して締結する。このため、ネジ部材６３，６７のそれぞれは、第１の方向についてケース４２の中央位置又はその近傍に配置される。
【００４８】
第１のケース部材４５には、ネジ部材６３と同一の数だけ凹部６２が形成され、ネジ部材６７と同一の数だけ凹部６６が形成される。また、第２のケース部材４６には、ネジ部材６３と同一の数だけ穴６５が形成され、ネジ部材６７と同一の数だけ穴６８が形成される。凹部６２及び穴６５のそれぞれは、ケース側壁５６の対応する一方と仕切り壁５７との交差部分に、形成される。また、凹部６６及び穴６８のそれぞれは、仕切り壁（第２の仕切り壁）５８の対応する１つと仕切り壁（第１の仕切り壁）５７との交差部分に、形成される。
【００４９】
凹部６２，６６のそれぞれは、第３の方向について第２のケース部材４６が位置する側へ向かって、ケース底壁５１から凹む。また、穴６５，６８のそれぞれは、第２のケース部材４６において第１のケース部材４５との境界部分から、第３の方向に沿って延設される。凹部６２のそれぞれは、穴６５の対応する一方と連通する。また、凹部６６のそれぞれは、穴６８の対応する１つと連通する。穴６５，６８のそれぞれの第３の方向に垂直又は略垂直な断面積は、凹部６２，６６のそれぞれの第３の方向に垂直又は略垂直な断面積に比べて、小さい。
【００５０】
ネジ部材６３，６７のそれぞれには、頭部（６３Ａ，６７Ａの対応する１つ）が形成されるとともに、雄ネジ部（６３Ｂ，６７Ｂの対応する１つ）が係合部として形成される。ネジ部材６３，６７のそれぞれでは、頭部（６３Ａ；６７Ａ）の軸方向に垂直又は略垂直な断面積が、雄ネジ部（６３Ｂ；６７Ｂ）の軸方向に垂直又は略垂直な断面積に比べて、大きい。また、ネジ部材６３，６７のそれぞれの頭部（６３Ａ；６７Ａ）の軸方向に垂直又は略垂直な断面積は、凹部６２，６６のそれぞれの第３の方向に垂直又は略垂直な断面積に比べて、小さい。そして、ネジ部材６３，６７のそれぞれの頭部（６３Ａ；６７Ａ）の軸方向に垂直又は略垂直な断面積は、穴６５，６８のそれぞれの第３の方向に垂直又は略垂直な断面積に比べて、大きい。
【００５１】
ネジ部材６３のそれぞれは、凹部６２の対応する一方に挿入される。また、ネジ部材６３の頭部６３Ａのそれぞれは、凹部６２の対応する一方の底面に、ケース底壁５１が位置する側から当接する。穴６５のそれぞれの内周面には、雌ネジ部（図示しない）が形成される。ネジ部材６３の雄ネジ部６３Ｂのそれぞれは、穴６５の対応する一方に挿入される。そして、ネジ部材６３の雄ネジ部６３Ｂのそれぞれは、穴６５の対応する一方において、雌ネジ部と螺合する。これにより、ネジ部材６３のそれぞれは、ケース部材４５，４６を互いに対して締結する。
【００５２】
同様に、ネジ部材６７のそれぞれは、凹部６６の対応する１つに挿入される。また、ネジ部材６７の頭部６７Ａのそれぞれは、凹部６６の対応する１つの底面に、ケース底壁５１が位置する側から当接する。穴６８のそれぞれの内周面には、雌ネジ部（図示しない）が形成される。ネジ部材６７の雄ネジ部６７Ｂのそれぞれは、穴６８の対応する１つに挿入される。そして、ネジ部材６７の雄ネジ部６７Ｂのそれぞれは、穴６８の対応する１つにおいて、雌ネジ部と螺合する。これにより、ネジ部材６７のそれぞれは、ケース部材４５，４６を互いに対して締結する。
【００５３】
前述のように締結部材であるネジ部材６３，６７のそれぞれでは、頭部（６３Ａ，６７Ａの対応する１つ）が、凹部６２，６６の対応する１つの底面に、ケース底壁５１が位置する側から当接する。そして、ネジ部材６３，６７のそれぞれでは、雄ネジ部（６３Ｂ，６７Ｂの対応する１つ）等の係合部が、穴６５，６８の対応する１つに挿入され、穴６５，６８の対応する１つにおいて第２のケース部材４６と係合する。
【００５４】
仕切り壁（第１の仕切り壁）５７は、仕切り表面５７Ａ，５７Ｂを有する。仕切り表面（第１の仕切り表面）５７Ａは、第１の方向の一方側（矢印Ｘ３側）を向き、仕切り表面（第２の仕切り表面）５７Ｂは、第１の方向について、仕切り表面５７Ａとは反対側を向く。また、仕切り壁（第２の仕切り壁）５８のそれぞれは、仕切り表面５８Ａ，５８Ｂを有する。仕切り壁５８のそれぞれでは、仕切り表面（第３の仕切り表面）５８Ａは、第２の方向の一方側（矢印Ｙ３側）を向き、仕切り表面（第４の仕切り表面）５８Ｂは、第２の方向について、仕切り表面５８Ａとは反対側を向く。
【００５５】
仕切り壁５７の仕切り表面（表面）５７Ａ，５７Ｂのそれぞれには、リブ（第１のリブ）７１が複数形成される。仕切り表面５７Ａ，５７Ｂのそれぞれでは、複数のリブ７１のそれぞれは、第１の方向へ突出する。仕切り表面５７Ａでは、リブ７１のそれぞれは、第１の方向について仕切り表面５７Ａが向く側（矢印Ｘ３側）へ向かって突出する。そして、仕切り表面５７Ｂでは、リブ７１のそれぞれは、第１の方向について仕切り表面５７Ｂが向く側（矢印Ｘ４側）へ向かって突出する。図４乃至図９等の一例では、リブ７１のそれぞれは、第３の方向について、ケース底壁５１とケース頂壁５２との間に連続して延設される。
【００５６】
仕切り表面５７Ａ，５７Ｂのそれぞれでは、複数のリブ７１は、第２の方向について互いに対して離れて配置される。また、図４乃至図９等の一例では、仕切り表面（第１の仕切り表面）５７Ａに形成されるリブ７１の数は、仕切り表面（第２の仕切り表面）５７Ｂに形成されるリブ７１の数と、同一になる。そして、仕切り表面５７Ａに形成されるリブ７１のそれぞれは、第２の方向について、仕切り表面５７Ｂに形成されるリブ７１の対応する１つに対して、ずれていない、又は、ほとんどずれていない。したがって、リブ７１は、仕切り壁５７を中心（中央面）として、対称（面対称）又は略対称（略面対称）に配置される。
【００５７】
仕切り壁５８のそれぞれでは、仕切り表面（表面）５８Ａ，５８Ｂのそれぞれに、リブ（第２のリブ）７２が複数形成される。仕切り壁５８のそれぞれの仕切り表面５８Ａ，５８Ｂのそれぞれでは、複数のリブ７２のそれぞれは、第２の方向へ突出する。仕切り壁５８のそれぞれの仕切り表面５８Ａでは、リブ７２のそれぞれは、第２の方向について仕切り表面５８Ａが向く側（矢印Ｙ３側）へ向かって突出する。そして、仕切り壁５８のそれぞれの仕切り表面５８Ｂでは、リブ７２のそれぞれは、第２の方向について仕切り表面５８Ｂが向く側（矢印Ｙ４側）へ向かって突出する。図４乃至図９等の一例では、リブ７２のそれぞれは、第３の方向について、ケース底壁５１とケース頂壁５２との間に連続して延設される。
【００５８】
仕切り壁５８のそれぞれの仕切り表面５８Ａ，５８Ｂのそれぞれでは、複数のリブ７２は、第１の方向について互いに対して離れて配置される。また、図４乃至図９等の一例では、仕切り壁５８のそれぞれにおいて、仕切り表面（第３の仕切り表面）５８Ａに形成されるリブ７２の数は、仕切り表面（第４の仕切り表面）５８Ｂに形成されるリブ７２の数と、同一になる。そして、仕切り壁５８のそれぞれでは、仕切り表面５８Ａに形成されるリブ７２のそれぞれは、第１の方向について、仕切り表面５８Ｂに形成されるリブ７２の対応する１つに対して、ずれていない、又は、ほとんどずれていない。したがって、仕切り壁５８のそれぞれでは、リブ７２は、仕切り壁（５８の対応する１つ）を中心（中央面）として、対称（面対称）又は略対称（略面対称）に配置される。
【００５９】
図４乃至図９等の一例では、仕切り壁５７において、第１の方向について隣接する空間６１（図４乃至図９の一例では８つの空間６１の全て）のそれぞれに向かって、リブ（第１のリブ）７１が３つずつ突出する。そして、仕切り壁５８のそれぞれでは、第２の方向について隣接する空間６１（図４乃至図９の一例では８つの空間６１の対応する４つ）のそれぞれに向かって、リブ（第２のリブ）７２が２つずつ突出する。このため、図４乃至図９等の一例では、８つの空間６１のそれぞれに、３つのリブ７１が配置される。また、第２の方向について両端に位置する４つの空間６１のそれぞれに、２つのリブ７２が配置される。そして、第２の方向について両端に位置する空間６１を除く４つの空間６１のそれぞれに、４つのリブ７２が配置される。
【００６０】
ここで、８つの電池１の中の任意の１つを電池（第１の電池）１αとする。また、第１の方向について電池１αに対して隣り合う電池（第２の電池）１β、及び、第２の方向について電池１αに対して隣り合う電池（第３の電池）１γを規定する。そして、第１の方向について電池１γに対して隣り合い、かつ、第２の方向について電池１βに対して隣り合う電池（第４の電池）１δを規定する。電池モジュール４０では、第１の方向について電池１αと電池１βとの間及び電池１γと電池１δとの間が、仕切り壁（第１の仕切り壁）５７によって、仕切られる。そして、第２の方向について電池１αと電池１γとの間及び電池１βと電池１δとの間が、仕切り壁（第２の仕切り壁）５８の対応する１つである仕切り壁５８αによって、仕切られる。このため、電池１α〜１δが配置される空間６１は、仕切り壁５７，５８αによって、互いに対して隔離される。また、仕切り壁５７，５８αの交差部分では、ネジ部材（締結部材）６７の対応する１つによって、ケース部材４５，４６が互いに対して締結される。
【００６１】
また、前述のように、仕切り壁５７の仕切り表面５７Ａ，５７Ｂのそれぞれでは、第１の方向に向かって複数のリブ７１が突出し、仕切り壁５８αの仕切り表面５８Ａ，５８Ｂのそれぞれでは、第２の方向に向かって複数のリブ７２が突出する。電池１α〜１δが収納される空間６１のそれぞれには、仕切り壁５７から突出するリブ７１の対応する１つ以上、及び、仕切り壁５８αから突出するリブ７２の対応する１つ以上が、配置される。図４乃至図９等の一例では、仕切り壁５７から、電池１α〜１δのそれぞれに向かって、リブ（第１のリブ）７１が３つずつ突出する。そして、仕切り壁５８αから、電池１α〜１δのそれぞれに向かって、リブ（第２のリブ）７２が２つずつ突出する。
【００６２】
図１０は、図４乃至図９等の一例の電池モジュール４０の第１のケース部材４５において、一部の範囲を示し、図１１は、図１０の範囲Ａ３を拡大して示す。そして、図１２は、電池モジュール４０の第１のケース部材４５において、図１０とは別の一部の範囲を示し、図１３は、図１２の範囲Ａ４を示す。図５、図８、図１０乃至図１３等に示すように、第１のケース部材４５には、前述のリブ７１，７２に加えて、クラッシュリブ７３Ａ，７３Ｂが形成される。クラッシュリブ７３Ａ，７３Ｂのそれぞれは、ケース４２の収納空洞４３に配置される。そして、収納空洞４３では、クラッシュリブ７３Ａ，７３Ｂのそれぞれは、第３の方向についてケース底壁５１が位置する側の端部に、配置される。クラッシュリブ７３Ａ，７３Ｂのそれぞれは、ケース底壁５１から第３の方向に沿って、第２のケース部材４６（ケース頂壁５２）が位置する側に向かって延設される。
【００６３】
図４乃至図１３等の一例では、ケース側壁５５のそれぞれの内表面に、クラッシュリブ７３Ａが複数形成される。ケース側壁５５のそれぞれの内表面では、複数のクラッシュリブ７３Ａのそれぞれは、第１の方向について内側へ突出する。また、仕切り壁５７の仕切り表面５７Ａ，５７Ｂのそれぞれにも、クラッシュリブ７３Ａが複数形成される。仕切り壁５７の仕切り表面５７Ａ，５７Ｂのそれぞれでは、複数のクラッシュリブ７３Ａのそれぞれは、リブ７１の対応する１つから、第１の方向へさらに突出する。仕切り表面５７Ａでは、クラッシュリブ７３Ａのそれぞれは、第１の方向について仕切り表面５７Ａが向く側（矢印Ｘ３側）へ向かって、リブ７１の対応する１つから突出する。そして、仕切り表面５７Ｂでは、クラッシュリブ７３Ａのそれぞれは、第１の方向について仕切り表面５７Ｂが向く側（矢印Ｘ４側）へ向かって、リブ７１の対応する１つから突出する。
【００６４】
仕切り壁５８のそれぞれでも、仕切り表面（表面）５８Ａ，５８Ｂのそれぞれに、クラッシュリブ７３Ａが複数形成される。仕切り壁５８のそれぞれの仕切り表面５８Ａ，５８Ｂのそれぞれでは、複数のクラッシュリブ７３Ａのそれぞれは、リブ７２の対応する１つから、第２の方向へさらに突出する。仕切り壁５８のそれぞれの仕切り表面５８Ａでは、クラッシュリブ７３Ａのそれぞれは、第２の方向について仕切り表面５８Ａが向く側（矢印Ｙ３側）へ向かって、リブ７２の対応する１つから突出する。そして、仕切り壁５８のそれぞれの仕切り表面５８Ｂでは、クラッシュリブ７３Ａのそれぞれは、第２の方向について仕切り表面５８Ｂが向く側（矢印Ｙ４側）へ向かって、リブ７２の対応する１つから突出する。
【００６５】
また、図４乃至図１３等の一例では、仕切り壁５７の仕切り表面５７Ａ，５７Ｂのそれぞれに、クラッシュリブ７３Ｂが複数形成される。仕切り壁５７の仕切り表面５７Ａ，５７Ｂのそれぞれでは、複数のクラッシュリブ７３Ｂのそれぞれは、第１の方向へ突出する。仕切り表面５７Ａでは、クラッシュリブ７３Ｂのそれぞれは、第１の方向について仕切り表面５７Ａが向く側（矢印Ｘ３側）へ向かって、突出する。そして、仕切り表面５７Ｂでは、クラッシュリブ７３Ｂのそれぞれは、第１の方向について仕切り表面５７Ｂが向く側（矢印Ｘ４側）へ向かって、突出する。なお、ケース側壁５５及びリブ７１，７２の対応する１つからのクラッシュリブ７３Ａのそれぞれの突出量は、仕切り壁５７からのクラッシュリブ７３Ｂのそれぞれの突出量に比べて、小さい。
【００６６】
図４乃至図１３等の一例では、仕切り壁５７において、第１の方向について隣接する空間６１（図４乃至図１３の一例では８つの空間６１の全て）のそれぞれに向かって、クラッシュリブ７３Ａが３つずつ突出し、クラッシュリブ７３Ｂが２つずつ突出する。そして、仕切り壁５８のそれぞれにおいて、第２の方向について隣接する空間６１（図４乃至図１３の一例では８つの空間６１の対応する４つ）のそれぞれに向かって、クラッシュリブ７３Ａが１つずつ突出する。そして、一対のケース側壁５５のそれぞれにおいて、第１の方向について隣接する空間６１（図４乃至図１３の一例では８つの空間６１の対応する４つ）のそれぞれに向かって、クラッシュリブ７３Ａが５つずつ突出する。
【００６７】
このため、図４乃至図１３等の一例では、８つの空間６１のそれぞれに、２つのクラッシュリブ７３Ｂが配置される。また、第２の方向について両端に位置する４つの空間６１のそれぞれに、９個のクラッシュリブ７３Ａが配置される。そして、第２の方向について両端に位置する空間６１を除く４つの空間６１のそれぞれに、１０個のクラッシュリブ７３Ａが配置される。また、図４乃至図１３等の一例では、空間６１のそれぞれの仕切り壁５７に沿う部位おいて、３つクラッシュリブ７３Ａ（リブ７１）及び２つのクラッシュリブ７３Ｂが、第２の方向について交互に配置される。
【００６８】
また、クラッシュリブ７３Ａ，７３Ｂのそれぞれでは、第３の方向についてケース底壁５１が位置する側の端部に、傾斜面７７を備える。クラッシュリブのそれぞれでは、傾斜面７７は、ケース底壁５１に近づくほど突出量が大きくなる状態に、傾斜する。すなわち、クラッシュリブのそれぞれの傾斜面７７では、ケース底壁５１から離れるほど、突出部分の根元位置に近づく。
【００６９】
図１４は、図４乃至図９等の一例の電池モジュール４０の第２のケース部材４６において、一部の範囲を示す。図５及び図１４等に示すように、第２のケース部材４６には、前述のリブ７１，７２に加えて、複数のクラッシュリブ７５が形成される。クラッシュリブ７５のそれぞれは、ケース４２の収納空洞４３に配置される。そして、収納空洞４３では、クラッシュリブ７５のそれぞれは、第３の方向についてケース頂壁５２が位置する側の端部に、配置される。クラッシュリブ７５のそれぞれは、ケース頂壁５２から第３の方向に沿って、第１のケース部材４５（ケース底壁５１）が位置する側に向かって延設される。このため、クラッシュリブ７５のそれぞれは、第３の方向について、クラッシュリブ７３Ａ，７３Ｂのそれぞれから離れて配置される。
【００７０】
図４乃至図１４等の一例では、ケース側壁５５のそれぞれの内表面に、クラッシュリブ７５が複数形成される。ケース側壁５５のそれぞれの内表面では、複数のクラッシュリブ７５のそれぞれは、第１の方向について内側へ突出する。また、仕切り壁５７の仕切り表面５７Ａ，５７Ｂのそれぞれにも、クラッシュリブ７５が複数形成される。仕切り壁５７の仕切り表面５７Ａ，５７Ｂのそれぞれでは、複数のクラッシュリブ７５のそれぞれは、リブ７１の対応する１つから、第１の方向へさらに突出する。仕切り表面５７Ａでは、クラッシュリブ７５のそれぞれは、第１の方向について仕切り表面５７Ａが向く側（矢印Ｘ３側）へ向かって、リブ７１の対応する１つから突出する。そして、仕切り表面５７Ｂでは、クラッシュリブ７５のそれぞれは、第１の方向について仕切り表面５７Ｂが向く側（矢印Ｘ４側）へ向かって、リブ７１の対応する１つから突出する。
【００７１】
図４乃至図１４等の一例では、仕切り壁５７において、第１の方向について隣接する空間６１（図４乃至図１４の一例では８つの空間６１の全て）のそれぞれに向かって、クラッシュリブ７５が３つずつ突出する。そして、一対のケース側壁５５のそれぞれにおいて、第１の方向について隣接する空間６１（図４乃至図１４の一例では８つの空間６１の対応する４つ）のそれぞれに向かって、クラッシュリブ７５が３つずつ突出する。このため、図４乃至図１４等の一例では、８つの空間６１のそれぞれに、６つのクラッシュリブ７５が配置される。
【００７２】
図１５は、８つの空間６１のある１つを示す。図１５では、空間６１においてクラッシュリブ７３Ａのある１つ及びクラッシュリブ７３Ｂのある１つを通る断面を示す。図１５等に示すように、空間６１のそれぞれでは、クラッシュリブ７３Ａ，７３Ｂのそれぞれは、電池１の対応する１つの周壁１２によって第１の方向又は第２の方向へ押圧される。また、空間の６１のそれぞれでは、クラッシュリブ７３Ａ，７３Ｂのそれぞれは、電池１の対応する１つの底壁１１によって、第３の方向についてケース底壁５１が位置する側へ向かって、押圧される。このため、空間６１のそれぞれでは、クラッシュリブ７３Ａ，７３Ｂのそれぞれは、電池１の対応する１つからの押圧によって、潰れる。また、空間６１のそれぞれでは、クラッシュリブ７５のそれぞれも、電池１の対応する１つの周壁１２によって第１の方向又は第２の方向へ押圧される。このため、空間６１のそれぞれでは、クラッシュリブ７５のそれぞれは、電池１の対応する１つからの押圧によって、潰れる。
【００７３】
また、空間６１のそれぞれでは、クラッシュリブ７３Ａ，７３Ｂのそれぞれの傾斜面７７は、電池１の対応する１つを、第３の方向についてケース頂壁５２が位置する側へ向かって押圧する。したがって、８つの電池１のそれぞれは、空間６１の対応する１つにおいて、クラッシュリブ７３Ａ，７３Ｂの傾斜面７７によって、第３の方向についてケース頂壁５２が位置する側へ向かって押圧される。そして、電池１のそれぞれは、クラッシュリブ７３Ａ，７３Ｂからの押圧によって、ケース頂壁５２の内表面に当接する。そして、電池１のそれぞれでは、一対の電極端子２７は、ケース頂壁５２の内表面に対して第３の方向について外側へ突出する。ある一例では、ケース頂壁５２に、ケース４２の外部と収納空洞４３を連通させる孔（図示しない）が１つ以上形成される。電池１のそれぞれの電極端子２７のそれぞれは、ケース頂壁５２に形成される孔のいずれかを通して、ケース４２の外部に対して露出する。
【００７４】
また、電池モジュール４０では、バスバー（図示しない）を１つ以上用いて、複数の電池１が互いに対して電気的に接続される。バスバーは、金属等の導電材料から形成される。電池モジュール４０では、複数の電池１が電気的に接続されてもよく、複数の電池１が電気的に並列に接続されてもよい。また、電池モジュール４０において、電池１が直列に接続される直列接続、及び、電池１が並列に接続される並列接続の両方が形成されてもよい。２つの電池１が１つのバスバーを用いて電気的に接続される場合、バスバーは、２つの電池１の一方の正極端子と２つの電池１の他方の負極端子との間を接続する。また、２つ以上の電池１が２つのバスバーを用いて電気的に並列に接続される場合、２つのバスバーの一方は、２つ以上の電池１の正極端子同士を接続する。そして、２つのバスバーの他方は、２つ以上の電池１の負極端子同士を接続する。
【００７５】
本実施形態の電池モジュール４０では、締結部材であるネジ部材６３，６７のそれぞれによって、ケース部材４５，４６が締結される。そして、ネジ部材６３，６７による締結によって、ケース４２を形成する複数のケース部材４５，４６が、互いに対して連結される。このため、接着剤等を用いることなく、ケース部材４５，４６が連結される。
【００７６】
また、電池モジュール４０では、ネジ部材６７のそれぞれは、仕切り壁（第２の仕切り壁）５８の対応する１つと仕切り壁（第１の仕切り壁）５７との交差部分において、ケース部材４５，４６を互いに対して締結する。したがって、ネジ部材６７のそれぞれは、第１の方向についてケース側壁５５の間で、かつ、第２の方向についてケース側壁５６の間の部位において、ケース部材４５，４６を締結する。すなわち、ネジ部材６７のそれぞれは、ケース周壁５３に対して内周側の部位において、ケース部材４５，４６を締結する。ケース周壁５３に対して内周側の部位においてケース部材４５，４６が締結されることにより、ケース４２を形成する複数のケース部材４５，４６が強固に連結される。
【００７７】
また、電池モジュール４０では、形成される電池列（４１Ａ，４１Ｂ）の数である第１の数に比べて、電池列（４１Ａ，４１Ｂ）のそれぞれにおいて配列される電池１の数である第２の数が、大きい。そして、電池モジュール４０では、第２の方向についての寸法が、第１の方向についての寸法、及び、第３の方向についての寸法のそれぞれに比べて、大きくなる。電池モジュール４０では、前述のように、第２の方向についてケース側壁５６の間の１つ以上の箇所で、ネジ部材６７によって、ケース部材４５，４６が締結される。このため、第２の方向についての寸法が大きいケース４２が用いられる電池モジュール４０であっても、ケース部材４５，４６が互いに対して強固に連結される。また、ケース部材４５，４６が強固に連結されることにより、第２の方向についての寸法が大きいケース４２が用いられる電池モジュール４０であっても、ケース４２の強度が確保される。
【００７８】
また、電池モジュール４０では、仕切り壁５７の仕切り表面５７Ａ，５７Ｂのそれぞれに、第１の方向へ突出するリブ（第１のリブ）７１が複数設けられる。そして、仕切り壁５８のそれぞれの仕切り表面５８Ａ，５８Ｂのそれぞれに、第２の方向へ突出するリブ（第２のリブ）７２が複数設けられる。空間６１のそれぞれでは、電池１の対応する１つの第１の方向についての移動が、リブ７１によって、規制される。同様に、空間６１のそれぞれでは、電池１の対応する１つの第２の方向についての移動が、リブ７２によって、規制される。電池１のそれぞれの移動がリブ７１，７２によって前述のように規制されることにより、電池１のそれぞれは、空間６１の対応する１つに、強固に設置される。
また、リブ７１は、仕切り壁５７を中心（中央面）として、対称（面対称）又は略対称（略面対称）に配置される。そして、仕切り壁５８のそれぞれでは、リブ７２は、仕切り壁（５８の対応する１つ）を中心（中央面）として、対称（面対称）又は略対称（略面対称）に配置される。このため、リブ７１，７２のそれぞれには、隣接する電池１からより直接的に力が加わることになる。これにより、電池１のそれぞれをより確実に固定（設置）することができる。
【００７９】
また、空間６１のそれぞれに、クラッシュリブ７３Ａ，７３Ｂ，７５のそれぞれが1つ以上配置される。そして、空間の６１のそれぞれでは、クラッシュリブ７３Ａ，７３Ｂ，７５のそれぞれは、電池１の対応する１つからの押圧によって、潰れる。前述のようにクラッシュリブ７３Ａ，７３Ｂ，７５が潰れることにより、空間６１のそれぞれでは、電池１の対応する１つの第１の方向及び第２の方向についての移動が、より確実に規制される。このため、電池１のそれぞれは、空間６１の対応する１つに、より強固に設置される。
【００８０】
また、電池モジュール４０では、前述のように電池１のそれぞれが設置されるため、電池１をケース４２に接着剤等を用いて接着する必要がない。すなわち、接着剤等を用いることなく、電池１のそれぞれは、空間６１の対応する１つに強固に設置される。
【００８１】
また、電池モジュール４０では、前述のように、電池１のそれぞれの第１の方向についての移動がリブ７１によって規制される。このため、仕切り壁５７の厚さ（第１の方向についての寸法）を厚くすることなく、電池１のそれぞれの第１の方向についての移動が、規制される。仕切り壁５７の厚さが厚くならないことにより、ケース４２の軽量化が実現され、電池モジュール４０が軽量化される。
【００８２】
また、電池モジュール４０では、前述のように、電池１のそれぞれの第２の方向についての移動がリブ７２によって規制される。このため、仕切り壁５８のそれぞれの厚さ（第２の方向についての寸法）を厚くすることなく、電池１のそれぞれの第２の方向についての移動が、規制される。仕切り壁５８のそれぞれの厚さが厚くならないことにより、ケース４２の軽量化が実現され、電池モジュール４０が軽量化される。
【００８３】
また、電池モジュール４０では、電池１のそれぞれは、クラッシュリブ７３Ａ，７３Ｂからの押圧によって、ケース頂壁５２の内表面に当接する。そして、電池１のそれぞれでは、一対の電極端子２７は、ケース頂壁５２の内表面に対して第３の方向について外側へ突出する。電池１のそれぞれの電極端子２７がケース頂壁５２の内表面に対して突出する。電池１のそれぞれの蓋部材６は、ケース頂壁５２の内表面に当接し、電池１のそれぞれの電極端子２７の第３の方向についての位置が、固定される。これにより、電極端子２７のそれぞれとバスバー（図示しない）との間に空間が形成されることなくなり、バスバーを電極端子２７のそれぞれに接触させ易くなる。これにより、電池モジュール４０の製造時等において、バスバーを用いて複数の電池１を電気的に接続する作業の作業性が向上する。
【００８４】
（変形例）  
なお、仕切り壁５７に設けられるリブ７１の数、及び、仕切り壁５８のそれぞれに設けられるリブ７２の数は、前述の実施形態等に限るものではない。ある変形例では、電池１のそれぞれに向かって、仕切り壁５７からリブ７１が１つ以上ずつ突出し、電池１のそれぞれに向かって、仕切り壁５８の対応するいずれかからリブ７２が１つ以上ずつ突出する。この場合も、電池１のそれぞれの第１の方向についての移動が、リブ７１によって規制され、電池１のそれぞれの第２の方向についての移動が、リブ７２によって規制される。また、リブ７１が設けられることにより、仕切り壁５７の厚さが厚くならず、リブ７２が設けられることにより、仕切り壁５８のそれぞれの厚さが厚くならない。このため、前述の実施形態等と同様に、ケース４２の軽量化が実現され、電池モジュール４０が軽量化される。
【００８５】
また、ある変形例では、仕切り壁（第１の仕切り壁）５７にリブ（第１のリブ）７１が形成されるが、仕切り壁（第２の仕切り壁）５８のそれぞれにリブ（第２のリブ）７２が形成されない。この場合、リブ７２が設けられる場合に比べて、仕切り壁５８のそれぞれが厚く形成される。そして、電池１のそれぞれの第２の方向についての移動は、仕切り壁５８の対応するいずれかによって規制される。本変形例でも、リブ７１が設けられることにより、仕切り壁５７の厚さが厚くならない。このため、本変形例でも、ケース４２の軽量化が実現され、電池モジュール４０が軽量化される。
【００８６】
また、別のある変形例では、仕切り壁（第２の仕切り壁）５８のそれぞれにリブ（第２のリブ）７２が形成されるが、仕切り壁（第１の仕切り壁）５７にリブ（第１のリブ）７１が形成されない。この場合、リブ７１が設けられる場合に比べて、仕切り壁５７が厚く形成される。そして、電池１のそれぞれの第１の方向についての移動は、仕切り壁５７によって規制される。本変形例でも、リブ７２が設けられることにより、仕切り壁５８のそれぞれの厚さが厚くならない。このため、本変形例でも、ケース４２の軽量化が実現され、電池モジュール４０が軽量化される。
【００８７】
また、ケース４２に形成されるクラッシュリブ７３Ａ，７３Ｂのそれぞれの数、及び、ケース４２に形成されるクラッシュリブ７５の数は、前述の実施形態等に限るものではない。ある変形例では、空間６１のそれぞれに、クラッシュリブ７３Ａ，７３Ｂのいずれかが、１つ以上配置される。本変形例でも、電池１のそれぞれは、空間６１の対応する１つにおいて、クラッシュリブ７３Ａ，７３Ｂの対応するいずれかからの押圧によって、ケース頂壁５２の内表面に当接する。そして、電池１のそれぞれでは、一対の電極端子２７は、ケース頂壁５２の内表面に対して第３の方向について外側へ突出する。
【００８８】
また、ある変形例では、クラッシュリブ７５が設けられなくてもよい。また、別のある変形例では、クラッシュリブ７３Ａ，７３Ｂが設けられなくてもよい。ただし、これらの変形例でも、仕切り壁（第１の仕切り壁）５７から突出するリブ（第１のリブ）７１、及び、仕切り壁（第２の仕切り壁）５８のそれぞれから突出するリブ（第２のリブ）７２の少なくとも一方が、設けられる。
【００８９】
また、電池モジュール４０が備える電池１の数は、前述の実施形態等に限るものではない。ただし、いずれの場合も、電池モジュール４０は、電池１α〜１δを含む４つ以上の電池１を備える。そして、前述の実施形態等と同様に、電池（第２の電池）１βは、第１の方向について電池（第１の電池）１αに対して隣り合い、電池（第３の電池）１γは、第２の方向について電池１αに対して隣り合う。そして、電池（第４の電池）１δは、第１の方向について電池１γに対して隣り合い、かつ、第２の方向について電池１βに対して隣り合う。そして、いずれの場合も、第１の方向について電池１αと電池１βとの間及び電池１γと電池１δとの間が、仕切り壁（第１の仕切り壁）５７によって仕切られ、第２の方向について電池１αと電池１γとの間及び電池１βと電池１δとの間が、仕切り壁（第２の仕切り壁）５８によって仕切られる。そして、仕切り壁５７，５８の交差部分において、第１のケース部材４５が第２のケース部材４６に、ネジ部材６７等の締結部材によって締結される。そして、ケース４２には、仕切り壁５７の表面において第１の方向へ突出するリブ（第１のリブ）７１、及び、仕切り壁５８の表面において第２の方向へ突出するリブ（第２のリブ）７２の少なくとも一方が、設けられる。
【００９０】
また、前述のように電池１α〜１δが設けられる場合、電池モジュール４０では、電池１α，１γは、第２の方向に沿って複数の電池１が配列される電池列（第１の電池列）４１Ａを形成する。そして、電池１β，１δは、第２の方向に沿って複数の電池１が配列される電池列（第２の電池列）４１Ｂを形成する。そして、電池列４１Ａ，４１Ｂは、第１の方向について、互いに対して隣り合う。
【００９１】
ある一例では、電池１α〜１δを含む４つ以上の電池１は、電池列４１Ａ，４１Ｂを含む電池列を第１の数だけ形成する。そして、電池列４１Ａ，４１Ｂを含む第１の数の電池列のそれぞれでは、第１の数より大きい第２の数の電池１が、第２の方向に沿って配列される。この場合、電池モジュール４０では、第２の方向についての寸法は、第１の方向についての寸法及び前記第３の方向についての寸法のそれぞれ比べて、大きくなる。
【００９２】
［電池パック］  
次に、前述した実施形態等の電池モジュールが用いられる電池パックについて、説明する。図１６は、図４乃至図１５等の実施形態の電池モジュール４０が用いられる電池パック８０の一例を示す。図１６等の一例では、電池モジュール４０において、複数の電池１が、電気的に直列に接続される。電池１は、前述したバスバー等を介して、互いに対して電気的に接続される。なお、別の一例では、電池モジュール４０において、複数の電池１が電気的に並列に接続されてもよい。また、別の一例では、電池モジュール４０において、電池１が直列に接続される直列接続、及び、電池１が並列に接続される並列接続の両方が形成されてもよい。
【００９３】
また、電池パック８０の電池モジュール４０では、複数の電池１の対応する１つの正極端子（２７の対応する１つ）が、正極側リード９３等を介して、正極側のモジュール端子９１に接続される。そして、複数の電池１の中で正極側リード９３が接続される電池１とは別の対応する１つでは、負極端子（２７の対応する１つ）が、負極側リード９４を介して、負極側のモジュール端子９２に接続される。
【００９４】
電池パック８０には、プリント配線基板８１が設けられる。プリント配線基板８１には、保護回路８２、温度検出器であるサーミスタ８３、及び、通電用の外部端子８５が、搭載される。なお、電池パック８０では、絶縁部材（図示しない）によって、プリント配線基板８１上の電気経路と電池モジュール４０の配線との不要な接続が、防止される。正極側のモジュール端子９１は、プリント配線基板８１に形成される配線８６等を介して、保護回路８２に接続され、負極側のモジュール端子９２は、プリント配線基板８１に形成される配線８７等を介して、保護回路８２に接続される。
【００９５】
温度検出器であるサーミスタ８３は、電池モジュール４０を形成する複数の電池１のそれぞれについて、温度を検出する。そして、サーミスタ８３は、温度についての検出信号を、保護回路８２に出力する。
【００９６】
電池パック８０は、電流検出機能及び電圧検出機能を有する。電池パック８０では、電池モジュール４０への入力電流、及び、電池モジュール４０からの出力電流が検出されてもよく、電池モジュール４０を形成する複数の電池１のいずれかを流れる電流が、検出されてもよい。また、電池パック８０では、電池モジュール４０において電池１のそれぞれの電圧が検出されてもよく、電池モジュール４０全体に印加される電圧が検出されてもよい。電池パック８０では、電池モジュール４０と保護回路８２との間が、配線８４を介して、接続される。保護回路８２には、電流についての検出信号、及び、電圧についての検出信号が、配線８４を介して出力される。
【００９７】
なお、ある一例では、電池１のそれぞれの電圧が検出される代わりに、電池モジュール４０を形成する電池１のそれぞれについて、正極電位又は負極電位が検出される。この場合、電池モジュール４０に、参照極としてリチウム電極等が設けられる。そして、参照極での電位を基準として、電池１のそれぞれの正極電位又は負極電位が検出される。
【００９８】
外部端子８５は、電池パック８０の外部の機器に接続される。外部端子８５は、電池モジュール４０からの電流の外部への出力、及び／又は、電池モジュール４０への電流の入力に用いられる。電池パック８０の電池モジュール４０を電源として使用する際には、電流が通電用の外部端子８５を通して、電池パック８０の外部に供給される。また、電池モジュール４０を充電する際には、充電電流は、通電用の外部端子８５を通して電池モジュール４０に供給される。電池モジュール４０の充電電流には、例えば、車両等の動力の回生エネルギー等が含まれる。また、保護回路８２は、プラス配線８８及びマイナス配線８９を介して外部端子８５に接続可能である。
【００９９】
保護回路８２は、電池モジュール４０と外部端子８５との間の電気的な接続を遮断可能な機能を有する。保護回路８２には、接続遮断部として、リレー又はヒューズ等が設けられる。また、保護回路８２は、電池モジュール４０の充放電を制御する機能を有する。保護回路８２は、前述の電流、電圧及び温度等のいずれかに関する検出結果に基づいて、電池モジュール４０の充放電を制御する。
【０１００】
例えば、サーミスタ８３の検出温度が所定温度以上になった場合、保護回路８２は、所定の条件になったと判断する。また、電池モジュール４０において過充電、過放電及び過電流等のいずれかが検出された場合に、保護回路８２は、電池モジュール４０が所定の条件になったと判断する。そして、電池モジュール４０が前述の所定の条件になったと判断した場合、保護回路８２は、保護回路８２と通電用の外部端子８５との間の導通を、遮断できる。保護回路８２と通電用の外部端子８５との間の導通が遮断されることにより、電池モジュール４０からの電流の外部への出力、及び、電池モジュール４０への電流の入力が停止される。これにより、電池モジュール４０において過電流等が継続して発生することが、有効に防止される。
【０１０１】
なお、ある一例では、電池パック８０（電池モジュール４０）を電源として使用する装置に形成される回路を、保護回路として使用してもよい。また、電池パック８０において、電池モジュール４０を複数設け、電池モジュール４０同士を電気的に直列及び／又は並列に接続してもよい。
【０１０２】
［電池パックの用途］  
前述した電池モジュール４０を備える電池パック８０の構成等は、用途により、適宜変更される。電池パック８０の用途としては、大電流での充放電が求められている装置等であることが、好ましい。具体的な電池パック８０の用途には、デジタルカメラの電源用、車両の車載用、及び、定置用電源等が、挙げられる。この場合、電池モジュール４０を含む電池パック８０が搭載される車両としては、二輪乃至四輪のハイブリッド電気自動車、二輪乃至四輪の電気自動車、アシスト自転車、及び、鉄道用車両等が挙げられる。また、電池パック８０が搭載される車両には、工場等で用いられる無人搬送車（ＡＧＶ：Automated Guided Vehicle）が含まれる。
【０１０３】
図１７は、前述の電池パック８０のある適用例として、車両１００への適用例を示す。図１７に示す一例では、車両１００は、車両本体１０１と、電池パック８０と、を備える。図１７に示す一例では、車両１００は、四輪の自動車である。なお、車両１００は、複数の電池パック８０を搭載してもよい。
【０１０４】
図１７の一例では、電池パック８０が車両本体１０１の前方に位置するエンジンルーム内に搭載される。なお、電池パック８０は、例えば、車両本体１０１の後方、又は、座席の下に搭載してもよい。特に、前述の電池モジュール４０を備える電池パック８０は、座席の下の狭いスペースでも、配置可能である。前述のように、電池パック８０は、車両１００の電源として用いることができる。また、電池パック８０は、車両１００の動力の回生エネルギーを、回収することができる。
【０１０５】
これらの少なくとも一つの実施形態又は実施例によれば、第１の仕切り壁は、第１の方向について第１の電池と第２の電池との間及び第３の電池と第４の電池との間を仕切り、第２の仕切り壁は、第２の方向について第１の電池と第３の電池との間及び第２の電池と第４の電池との間を仕切る。締結部材は、第１の仕切り壁と第２の仕切り壁との交差部分において、第１のケース部材を第２のケース部材に締結する。ケースは、第１の仕切り壁の表面において第１の方向へ突出する第１のリブ、及び、第２の仕切り壁の表面において第２の方向へ突出する第２のリブの少なくとも一方を備える。これにより、ケースを形成する複数のケース部材が強固に連結されるとともに、ケースの内部において複数の電池のそれぞれが強固に設置され、軽量化が実現される電池モジュールを提供することができる。
【０１０６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０７】
１…電池、３…外装容器、５…容器本体、６…蓋部材、１０…電極群、１１…底壁、１２…周壁、１３…内部空洞、２７…電極端子、４０…電池モジュール、４１Ａ，４１Ｂ…電池列、４２…ケース、４３…収納空洞、４５…第１のケース部材、４６…第２のケース部材、５１…ケース底壁、５２…ケース頂壁、５３…ケース周壁、５７…仕切り壁（第１の仕切り壁）、５８…仕切り壁（第２の仕切り壁）、６２，６６…凹部、６３，６７…ネジ部材（締結部材）、６３Ａ，６７Ａ…頭部、６３Ｂ，６７Ｂ…雄ネジ部（係合部）、６５，６８…穴、７１…リブ（第１のリブ）、７２…リブ（第２のリブ）、７３Ａ，７３Ｂ，７５…クラッシュリブ、８０…電池パック、１００…車両。
【図１】
2020191156.tif 000003
【図２】
2020191156.tif 000004
【図３】
2020191156.tif 000005
【図４】
2020191156.tif 000006
【図５】
2020191156.tif 000007
【図６】
2020191156.tif 000008
【図７】
2020191156.tif 000009
【図８】
2020191156.tif 000010
【図９】
2020191156.tif 000011
【図１０】
2020191156.tif 000012
【図１１】
2020191156.tif 000013
【図１２】
2020191156.tif 000014
【図１３】
2020191156.tif 000015
【図１４】
2020191156.tif 000016
【図１５】
2020191156.tif 000017
【図１６】
2020191156.tif 000018
【図１７】
2020191156.tif 000019